(57)【要約】【課題】メッキ液でメッキ処理される薄い半導体ウェーハのハンドリングを容易にし、半導体ウェーハの脆い周縁部を保護して欠けを防ぐことができ、しかも、半導体ウェーハの周縁部の汚れでメッキ処理に悪影響を及ぼすことの少ない半導体ウェーハのメッキ用サポート治具を提供する。【解決手段】表面に回路パターン２が形成された厚さ１００μｍ以下の撓みやすい半導体ウェーハ１をメッキ液に浸漬する場合に、半導体ウェーハ１の裏面と周縁部とを保護するメッキ用サポート治具であり、半導体ウェーハ１を収容する樹脂製の支持リング１０と、支持リング１０の表面周縁部１２に張架されて支持リング１０の中空部１１を被覆し、半導体ウェーハ１をその裏面側から保持する弾性保持層１３と、弾性保持層１３の表面周縁部１４に接着され、弾性保持層１３に保持された半導体ウェーハ１の表面周縁部３に粘着される粘着リング１５とを備える。【選択図】図２
2014065953.tif 000002
【特許請求の範囲】
【請求項１】
表面に回路パターンが形成された厚さ１００μｍ以下の撓みやすい半導体ウェーハをメッキ液に浸漬する場合に、半導体ウェーハの裏面と周縁部とを保護する半導体ウェーハのメッキ用サポート治具であって、
半導体ウェーハを収容する樹脂製の支持リングと、この支持リングの表面周縁部に支持されて支持リングの中空部を被覆し、半導体ウェーハをその裏面側から保持する弾性保持層と、この弾性保持層の表面周縁部に接着され、弾性保持層に保持された半導体ウェーハの表面周縁部に粘着される粘着リングとを含んでなることを特徴とする半導体ウェーハのメッキ用サポート治具。
【請求項２】
粘着リングは、半導体ウェーハの表面周縁部から弾性保持層の表面周縁部にかけて対向する支持基材と、この支持基材の対向面に粘着され、半導体ウェーハの表面周縁部から弾性保持層の表面周縁部にかけて粘着する粘着材とを含み、支持基材の厚さを２０〜２００μｍとし、粘着材をシリコーン系の粘着材としてその厚さを２０〜１００μｍとした請求項１記載の半導体ウェーハのメッキ用サポート治具。
【発明の詳細な説明】
【技術分野】
【０００１】
本発明は、表面に回路パターンが形成された薄い半導体ウェーハをメッキ液に浸漬してメッキ処理する場合に使用される半導体ウェーハのメッキ用サポート治具に関するものである。
【背景技術】
【０００２】
従来、表面に回路パターンが形成された薄い半導体ウェーハにメッキ処理を施す場合には、図示しないメッキ槽のメッキ液中に半導体ウェーハを浸漬し、この浸漬した半導体ウェーハ表面の回路パターンにメッキ液に速く衝突させ、半導体ウェーハの回路パターンにメッキ処理を迅速に施すようにしている（特許文献１、２、３、４参照）。
【０００３】
半導体ウェーハは、薄い半導体パッケージに適合させる観点から、例えば厚さ１００μｍ以下に薄く形成され、脆く撓みやすく、ハンドリングが困難であるという特徴を有する。この半導体ウェーハの表面は、周縁部を含む全ての面に回路パターンが多層構造に形成されている。
【先行技術文献】
【特許文献】
【０００４】
【特許文献１】特開２０１０‐１０９２９８号公報
【特許文献２】特開２００８‐１９６０５５号公報
【特許文献３】特開２００３‐２２６９９７号公報
【特許文献４】特開平０５‐３０８０７５号公報
【発明の概要】
【発明が解決しようとする課題】
【０００５】
厚さ１００μｍ以下の従来の薄い半導体ウェーハは、以上のようにメッキ処理されているが、強度が低いので、メッキ液が速く衝突すると、衝撃により、割れて損傷するおそれが少なくない。このような問題を解消するため、薄い半導体ウェーハの裏面に保護テープを粘着し、半導体ウェーハの強度を向上させるという方法が提案されている。
【０００６】
しかしながら、半導体ウェーハの裏面に保護テープを単に粘着するだけでは、撓んで変形してしまうので、ハンドリングが困難である。また、半導体ウェーハの周縁部以外の損傷を防止することはできても、半導体ウェーハの脆い周縁部を保護して欠けを防ぐことは難しく、そうす ると、表面周縁部の回路パターンが損傷することとなる。さらに、半導体ウェーハの表面に回路パターンが多層構造に形成される際、レジスト液等で半導体ウェーハの周縁部が少なからず汚れるが、この汚れた周縁部がメッキ液に触れると、メッキ処理に悪影響を及ぼすこととなる。
【０００７】
本発明は上記に鑑みなされたもので、メッキ液でメッキ処理される薄い半導体ウェーハのハンドリングを容易にし、半導体ウェーハの脆い周縁部を保護して欠けを防ぐことができ、しかも、半導体ウェーハの周縁部の汚れでメッキ処理に悪影響を及ぼすことの少ない半導体ウェーハのメッキ用サポート治具を提供することを目的としている。
【課題を解決するための手段】
【０００８】
本発明においては上記課題を解決するため、表面に回路パターンが形成された厚さ１００μｍ以下の撓みやすい半導体ウェーハをメッキ液に浸漬する場合に、半導体ウェーハの裏面と周縁部とを保護するものであって、
半導体ウェーハを収容する樹脂製の支持リングと、この支持リングの表面周縁部に支持されて支持リングの中空部を被覆し、半導体ウェーハをその裏面側から保持する弾性保持層と、この弾性保持層の表面周縁部に接着され、弾性保持層に保持された半導体ウェーハの表面周縁部に粘着される粘着リングとを含んでなることを特徴としている。
【０００９】
なお、粘着リングは、半導体ウェーハの表面周縁部から弾性保持層の表面周縁部にかけて対向する支持基材と、この支持基材の対向面に粘着され、半導体ウェーハの表面周縁部から弾性保持層の表面周縁部にかけて粘着する粘着材とを含み、支持基材の厚さを２０〜２００μｍとし、粘着材をシリコーン系の粘着材としてその厚さを２０〜１００μｍとすることができる。
【００１０】
ここで、特許請求の範囲における半導体ウェーハには、φ２００、３００、４５０ｍｍ等のタイプがあるが、特に限定されるものではない。また、周縁部が厚く、それ以外の部分が薄く形成されるタイプもあるが、特に限定されるものではない。弾性保持層は、透明、不透明、半透明のいずれでも良い。この弾性保持層は、弱粘着性を有していても良いし、そうでなくても良い。
【００１１】
本発明によれば、半導体ウェーハの裏面を弾性保持層が保護して撓みを抑制するので、例え半導体ウェーハの回路パターンにメッキ液が速く衝突しても、半導体ウェーハが割れるおそれを排除することができる。また、強度に優れるメッキ用サポート治具の支持リングを操作すれば、半導体ウェーハが撓んで変形することが少ない。また、半導体ウェーハの周縁部を粘着リングが弾性保持層との間に挟んで保護するので、半導体ウェーハの周縁部の欠けを防ぐことができる。さらに、例え半導体ウェーハの周縁部の表面や裏面が汚れていても、汚れた周縁部を粘着リングが被覆し、周縁部に対するメッキ液の浸入を規制する。
【発明の効果】
【００１２】
本発明によれば、メッキ液でメッキ処理される薄い半導体ウェーハのハンドリングを容易にし、半導体ウェーハの脆い周縁部を保護して欠けを防ぐことができるという効果がある。また、半導体ウェーハの周縁部の汚れでメッキ処理に悪影響を及ぼすことを低減することができる。
【００１３】
請求項２記載の発明によれば、粘着リングの支持基材の厚さを２０〜２００μｍとし、粘着材の厚さを２０〜１００μｍとするので、強度を確保しながらメッキ用サポート治具を繰り返し使用することができる。また、粘着材を肉厚化するので、追従性を向上させることが可能になる。また、粘着材を肉厚化し、半導体ウェーハの表面周縁部に位置する回路パターンの凹凸を吸収することにより、半導体ウェーハと粘着リングとの間に隙間が生じ、メッキ液が浸入するのを防ぐことが可能になる。さらに、粘着材をシリコーン系とすれば、優れた撥水性や弱粘着性の確保が期待できる。
【図面の簡単な説明】
【００１４】
【図１】本発明に係る半導体ウェーハのメッキ用サポート治具の実施形態を模式的に示す全体斜視図である。
【図２】本発明に係る半導体ウェーハのメッキ用サポート治具の実施形態を模式的に示す要部断面説明図である。
【発明を実施するための形態】
【００１５】
以下、図面を参照して本発明の好ましい実施の形態を説明すると、本実施形態における半導体ウェーハのメッキ用サポート治具は、図１や図２に示すように、表面に回路パターン２が形成された薄い半導体ウェーハ１を収容する樹脂製の支持リング１０と、この支持リング１０の中空部１１を被覆して半導体ウェーハ１を搭載する弾性保持層１３と、この弾性保持層１３の表面周縁部１４に接着され、弾性保持層１３に搭載保持された半導体ウェーハ１の表面周縁部３に粘着される厚い粘着リング１５とを備え、薄い半導体ウェーハ１がメッキ液でメッキ処理される場合に、半導体ウェーハ１の裏面と周縁部とを共に保護するよう機能する。
【００１６】
半導体ウェーハ１は、例えばバックグラインドされたφ２００ｍｍのシリコンウェーハからなり、表面に多層の回路パターン２が公知（例えば、レジスト液の塗布、現像、及びエッチング等）の方法により形成される。この半導体ウェーハ１は、薄い半導体パッケージに適合させる観点から、１００μｍ以下の厚さ、例えば７５μｍ以下や５０μｍ程度の薄さに形成され、脆く撓みやすく、ハンドリングが困難であるという特徴を有する。半導体ウェーハ１の表面は、歪等を防止する観点から、周縁部を含む全ての面に回路パターン２が多層構造に形成される。
【００１７】
支持リング１０は、所定の成形材料により半導体ウェーハ１よりも拡径の平面リング形に成形され、半導体ウェーハ１に隙間を介して遊嵌される。この支持リング１０は、金属製の場合には、メッキ液との相性が悪いので、所定の樹脂を含む成形材料により成形される。支持リング１０の所定の成形材料としては、メッキ処理に支障を来さなければ、特に限定されるものではないが、例えば耐衝撃性や強度等に優れるポリカーボネートや厚いポリエチレンテレフタレート等があげられる。
【００１８】
支持リング１０は、剛性を確保し、半導体ウェーハ１のハンドリングを容易にする観点から、０．５ｍｍ以上、好ましくは０．８ｍｍ以上、より好ましくは１ｍｍ以上の肉厚に射出成形される。
【００１９】
弾性保持層１３は、例えば耐メッキ液性に優れ、不純物等を溶出させない厚さ１００μｍ以下、好ましくは厚さ４０〜６０μｍ程度、より好ましくは厚さ５０μｍ程度の薄いオレフィン系やシリコーン系のフィルム等からなる。この弾性保持層１３は、支持リング１０の平坦な表面周縁部１２に図示しない両面粘着テープ等で粘着されるとともに、緊張して張架され、支持リング１０の周縁部に沿って平面円形にカットされた後、半導体ウェーハ１をその裏面側から着脱自在に密接保持する。
【００２０】
粘着リング１５は、半導体ウェーハ１の表面周縁部３から弾性保持層１３の表面周縁部１４にかけて対向する支持基材１６と、この支持基材１６の対向面に粘着される粘着材１７とを備えた二層構造の平面リング形に形成され、半導体ウェーハ１の表面周縁部３から弾性保持層１３の表面周縁部１４にかけて着脱自在に粘着される。この粘着リング１５は、係る粘着により、弾性保持層１３との間に半導体ウェーハ１を固定し、半導体ウェーハ１の周縁部をシールするよう機能する。したがって、メッキ液が露出していない半導体ウェーハ１の周縁部や裏面側に浸入するのを防止することができる。
【００２１】
支持基材１６は、特に限定されるものではないが、例えばポリエチレンテレフタレートやポリイミド等により、平面リング形に形成される。この支持基材１６は、剛性を確保し、繰り返し使用する場合には、２０〜２００μｍ、好ましくは５０〜１５０μｍ、より好ましくは９０〜１２０μｍ程度の厚さに形成される。また、粘着材１７は、例えば撥水性等に優れ、弱粘着性を有するシリコーン系タイプ等により、平面リング形に形成される。この粘着材１７は、剛性を付与して繰り返し使用したり、追従性を向上させたい場合には、２０〜１００μｍ程度の厚さに形成される。
【００２２】
このような粘着リング１５の使用により、半導体ウェーハ１のメッキ処理が必要な回路パターン２部分のみを露出させた状態でサポート治具に半導体ウェーハ１を保持することができ、しかも、サポート治具の薄肉化や軽量化を図ることができるので、ハンドリングが実に容易になる。
【００２３】
上記構成において、表面に回路パターン２が形成された薄い半導体ウェーハ１にメッキ処理を施す場合には、先ず、半導体ウェーハ１の露出した裏面に弾性保持層１３を重ねて積層し、この弾性保持層１３の裏面に、半導体ウェーハ１を包囲する支持リング１０を重ねて粘着固定し、半導体ウェーハ１を反転させてその表面を露出させる。この際、弾性保持層１３の裏面に支持リング１０を粘着固定した後、半導体ウェーハ１の裏面に弾性保持層１３を重ねて積層しても良い。
【００２４】
半導体ウェーハ１の表面を露出させたら、半導体ウェーハ１の表面周縁部３から弾性保持層１３の表面周縁部１４にかけて粘着リング１５を粘着することにより、半導体ウェーハ１のメッキ用サポート治具に半導体ウェーハ１を保持させ、その後、メッキ槽のメッキ液中にメッキ用サポート治具を浸漬し、浸漬した半導体ウェーハ１表面の回路パターン２にメッキ液に速く衝突させれば、半導体ウェーハ１の回路パターン２にメッキ処理を迅速に施すことができる。
【００２５】
この際、半導体ウェーハ１の周縁部を粘着リング１５が保持するので、半導体ウェーハ１の上下左右方向へのがたつきを有効に防止することができる。メッキ処理された半導体ウェーハ１は、洗浄装置により洗浄され、メッキ用サポート治具から真空のチャックテーブルに移し替えられてダイシングテープに粘着された後、ダイシング工程で多数の半導体チップにダイシングされる。
【００２６】
上記構成によれば、半導体ウェーハ１の裏面を弾性保持層１３が保護して撓みを抑制するので、例え半導体ウェーハ１の回路パターン２にメッキ液が速く衝突しても、半導体ウェーハ１が割れて損傷するおそれを有効に排除することができる。また、強度に優れるメッキ用サポート治具の支持リング１０を取り扱えば、半導体ウェーハ１が撓んで変形することがないので、作業時におけるハンドリングの容易化を図ることができる。
【００２７】
また、半導体ウェーハ１の脆い周縁部を粘着リング１５が弾性保持層１３との間に挟んで保護するので、半導体ウェーハ１の周縁部の欠けを防ぐことができ、表面周縁部３の回路パターン２の損傷防止が期待できる。また、半導体ウェーハ１の汚れた表面周縁部３や裏面周縁部を粘着リング１５が水密に被覆し、撥水性に優れるシリコーン系の粘着材１７が表面周縁部３等に対するメッキ液の浸入を規制するので、半導体ウェーハ１の汚れた表面周縁部３等がメッキ液に触れることがなく、メッキ処理に何ら悪影響を及ぼすことがない。
【００２８】
また、半導体ウェーハ１の周縁部や裏面部分にメッキ液が付着すると、メッキ後の半導体ウェーハ１を収納する保管容器や半導体製造装置の汚染を招くという問題が生じるが、本実施形態によれば、メッキ液の浸入を防止することができるので、係る問題の発生を排除することが可能になる。また、弾性保持層１３に自己粘着性が特に要求されないので、弾性保持層１３のフィルムの材質が何ら限定されることがなく、様々なフィルムを利用することが可能になる。
【００２９】
また、粘着材１７が２０〜１００μｍ程度の厚さを有するので、例え支持基材１６が厚くても、追従性の低下を招くことがない。さらに、厚い粘着材１７の使用により、半導体ウェーハ１の表面周縁部３に位置する回路パターン２の凹凸をも有効に吸収することが可能になる。
【００３０】
なお、上記実施形態では支持リング１０の表面周縁部１２に弾性保持層１３を粘着テープ等で粘着したが、弾性保持層１３の材質を変更して自己粘着性を付与し、支持リング１０の表面周縁部１２に弾性保持層１３を直接粘着しても良い。また、支持リング１０の外周縁に弾性保持層１３の周縁部を揃えて粘着しても良いし、揃えずに粘着しても良い。
【００３１】
また、メッキ用サポート治具に半導体ウェーハ１を保持させる場合、通常の環境下で手作業により保持させても良いが、真空環境下で自動的に保持させても良い。さらに、本発明に係る半導体ウェーハのメッキ用サポート治具は、周縁部を残してバックグラインドされた半導体ウェーハ１にも適用することができる。
【産業上の利用可能性】
【００３２】
本発明に係る半導体ウェーハのメッキ用サポート治具は、半導体ウェーハの製造分野で使用される。
【符号の説明】
【００３３】
１        半導体ウェーハ
２        回路パターン
３        表面周縁部
１０      支持リング
１１      中空部
１２      表面周縁部
１３      弾性保持層
１４      表面周縁部
１５      粘着リング
１６      支持基材
１７      粘着材
【図１】
2014065953.tif 000003
【図２】
2014065953.tif 000004